(57)【要約】【課題】柄や把手等を有する家庭日用品の保持に好適なマルチホルダーを提供すること。【解決手段】マルチホルダー１０は、背側面１ｄ及び前側面１ａを有する所定の厚みをした板状の基部１と、平面視において、基部１の中心部に形成された保持孔２と、基部１の前側面１ａから保持孔２へ通じる入口３と、基部１の前側面１ａに関連して設けられ、入口３を塞ぐ弾性部材４とを含み、弾性部材４には、切割線４１が形成されており、切割線４１が開閉するように弾性部材４が弾力変形することにより入口３が開閉する。【選択図】図１
0003232181.tif 000002
【実用新案登録請求の範囲】
【請求項１】
背側面及び前側面を有する所定の厚みをした板状の基部と、
平面視において、前記基部の中心部に形成された保持孔と、
前記基部の前記前側面から前記保持孔へ通じる入口と、
前記基部の前記前側面に関連して設けられ、前記入口を塞ぐ弾性部材とを含み、
前記弾性部材には、切割線が形成されており、前記切割線が開閉するように前記弾性部材が弾力変形することにより、前記入口が開閉することを特徴とする、マルチホルダー。
【請求項２】
前記弾性部材は、所定の幅、長さ及び厚みを有する板状弾性体を含み、
前記基部の厚み方向と、前記板状弾性体の厚み方向とが一致するように、前記板状弾性体は前記基部の前記前側面部分に組み込まれている、請求項１に記載のマルチホルダー。
【請求項３】
前記弾性部材は、所定の幅、長さ及び厚みを有する板状弾性体を含み、
前記基部の厚み方向と、前記板状弾性体の幅方向とが一致するように、前記板状弾性体は前記基部の前記前側面部分に組み込まれている、請求項１に記載のマルチホルダー。
【請求項４】
前記切割線は、前記板状弾性体の幅方向にジグザグに延びるように形成されている、請求項２又は３に記載のマルチホルダー。
【請求項５】
前記基部の前記背側面は、マルチホルダーを取付位置に固定するための固定面を構成している、請求項１〜４のいずれか一項に記載のマルチホルダー。
【請求項６】
前記マルチホルダーが、横方向に複数個つなげられた横列構成を有する、請求項１〜５のいずれか一項に記載のマルチホルダー。
【請求項７】
前記基部には、前記基部の左右両側又は上下方向へ張り出した固定部が設けられており、前記固定部の背面は前記背側面と面一になっている、請求項１〜６のいずれか一項に記載のマルチホルダー。
【考案の詳細な説明】
【技術分野】
【０００１】
本考案は、柄や把手等を有する家庭日用品の保持に好適なマルチホルダーに関する。
【背景技術】
【０００２】
杖やステッキ等のホルダーとして、特許文献１及び特許文献２に開示されたホルダーが公知である。又、傘を固定するための固定具として、特許文献３に開示された固定具が公知である。
さらに、長尺物保持具として、特許文献４及び特許文献５に開示された保持具も公知である。
【先行技術文献】
【特許文献】
【０００３】
【特許文献１】実用新案登録第３１６５４５８号公報
【特許文献２】特開２０１２−５０４６７号公報
【特許文献３】特許第５７４９３８３号公報
【特許文献４】特開２００２−１６５６９４号公報
【特許文献５】実用新案登録第３２２２１４５号公報
【考案の概要】
【考案が解決しようとする課題】
【０００４】
特許文献１に開示された杖、ステッキ等のホルダーは、杖保持部、挟着部及び接続部という３種のパーツを有し、種々の場所で杖を保持することができるが、構成が複雑である等の課題がある。
特許文献２に開示された杖ホルダーは、回動支持部を有し、構造が複雑であるという課題がある。
【０００５】
特許文献３に開示された固定具は、第１の帯状部及び第２の帯状部を有し、長尺物品を手すり等に固定できるが、棒状の部位にしか固定具を設置できないという課題がある。
特許文献４に開示された長尺物保持具は、ベース部を帯状物によって取り付け対象物に固定するようになっており、保持具の設置がめんどうで手間がかかる等の課題がある。
特許文献５に開示された長尺物保持具は、保持部全体がゴム弾性体により構成されているから、保持の安定性において、問題がないわけではない。
【０００６】
本考案は、上記背景技術の有する課題を解決するためになされたものであり、柄や把手等を有する家庭日用品の保持に好適なマルチホルダーを提供することを目的とする。
【課題を解決するための手段】
【０００７】
本考案に係るマルチホルダーは、背側面及び前側面を有する所定の厚みをした板状の基部と、平面視において、前記基部の中心部に形成された保持孔と、前記基部の前記前側面から前記保持孔へ通じる入口と、前記基部の前記前側面に関連して設けられ、前記入口を塞ぐ弾性部材とを含み、前記弾性部材には、切割線が形成されており、前記切割線が開閉するように前記弾性部材が弾力変形することにより、前記入口が開閉するマルチホルダーである。
【０００８】
前記弾性部材は、所定の幅、長さ及び厚みを有する板状弾性体を含み、前記基部の厚み方向と、前記板状弾性体の厚み方向とが一致するように、前記板状弾性体は前記基部の前記前側面部分に組み込まれていてもよい。
または、前記弾性部材は、所定の幅、長さ及び厚みを有する板状弾性体を含み、前記基部の厚み方向と、前記板状弾性体の幅方向とが一致するように、前記板状弾性体は前記基部の前記前側面部分に組み込まれていてもよい。
【０００９】
前記切割線は、前記板状弾性体の幅方向にジグザグに延びるように形成されていてもよい。
前記基部の前記背側面は、マルチホルダーを取付位置に固定するための固定面を構成していてもよい。
前記マルチホルダーが、横方向に複数個つなげられた横列構成であってもよい。
前記基部には、前記基部の左右両側又は上下方向へ張り出した固定部が設けられており、前記固定部の背面は前記背側面と面一になっていてもよい。
【考案の効果】
【００１０】
本考案においては、保持孔へ通じる入口が弾性部材により塞がれている。弾性部材には、切割線が形成されている。よって、保持したい日用品の柄や把手を弾性部材に押し当て、切割線が開くように弾性部材を弾力変形させることにより、柄や把手を保持孔へ挿入することができる。柄や把手が保持孔へ挿入された後は、弾性部材が元の状態に戻って保持孔の入口が弾性部材で塞がれるから、日用品は確実に、かつ、安定して保持孔内で保持される。日用品をマルチホルダーから取り外す際には、柄や把手を保持孔の内側から弾性部材に押し当て、切割線が開くように弾性部材を弾性変形させることにより、取り出せる。マルチホルダーに日用品を保持する（セットする）際、及びマルチホルダーから日用品を取り外す際には、入口に設けられた弾性部材を弾性変形させるため、日用品のセット及び取外しを確実に行うことができて、使い勝手が良い。
【図面の簡単な説明】
【００１１】
【図１】図１は、本考案の第１の実施形態に係るマルチホルダーの斜視図である。
【図２】図２は、本考案の第１の実施形態に係るマルチホルダーの平面図である。
【図３】図３は、本考案の第１の実施形態に係るマルチホルダーの正面図である。
【図４】図４は、本考案の第１の実施形態に係るマルチホルダーの右側面図である。
【図５】図５は、マルチホルダー１０により種々のものが受け止められている様子を図解的に示す図である。
【図６】図６は、本考案の第２の実施形態に係るマルチホルダーの斜視図である。
【図７】図７は、本考案の第２の実施形態に係るマルチホルダーの平面図である。
【図８】図８は、本考案の第２の実施形態に係るマルチホルダーの正面図である。
【図９】図９は、本考案の第２の実施形態に係るマルチホルダーの右側面図である。
【図１０】図１０は、本考案の第３の実施形態に係るマルチホルダーの斜視図である。
【図１１】図１１は、本考案の第３の実施形態に係るマルチホルダーの平面図である。
【図１２】図１２は、本考案の第３の実施形態に係るマルチホルダーの正面図である。
【図１３】図１３は、本考案の第４の実施形態に係るマルチホルダーの斜視図である。
【図１４】図１４は、本考案の第４の実施形態に係るマルチホルダーの平面図である。
【図１５】図１５は、本考案の第４の実施形態に係るマルチホルダーの正面図である。
【図１６】図１６は、本考案の第５の実施形態に係るマルチホルダーの斜視図である。
【考案を実施するための形態】
【００１２】
以下では、図面を参照して、本考案の実施形態について具体的に説明をする。
図１は、本考案の第１の実施形態に係るマルチホルダー１０の斜視図であり、図２はマルチホルダー１０の平面図、図３はマルチホルダー１０の正面図、図４はマルチホルダー１０の右側面図である。
図１〜４を参照して、マルチホルダー１０は、板状の基部１と、基部１に形成された保持孔２と、基部１の外側から保持孔２へ通じる入口３と、入口３を塞ぐ弾性部材４とを含んでいる。基部１は、例えば、木製又はプラスチック製で、前側面１ａ、右側面１ｂ、左側面１ｃ、及び、背側面１ｄを有し、所定の厚みＤ（一例として、Ｄ＝８ｍｍ〜３０ｍｍ程度）を有し、平面視が略正方形状又は矩形状の板状をなしている。そして、平面視において、基部１には、基部１を上下方向に貫通する保持孔２が形成されている。保持孔２は、一例として、平面視が円形の孔であり、その直径φは、例えばφ＝２５ｍｍ〜１００ｍｍ程度であってもよい。保持孔２は、保持したい日用品の柄や把手等の長尺部分を受け止めて保持するための孔である。
【００１３】
基部１には、その外側、例えば前側面１ａから切り欠かれて保持孔２に連通する入口３が形成されている。入口３は、本実施形態では、平面視がハ字状の切り欠きにより形成されているが、それ以外の形状であってもよい。例えば、入口３は、保持孔２の直径と等しく平行に延びる切り欠きであって、保持孔２と入口３とによって、平面視で、基部１に逆Ｕ字状の凹部が形成されたものでもよい。
【００１４】
基部１の前側面１ａに臨む入口３は、弾性部材４で塞がれている。弾性部材４は、一例として、天然ゴム又は合成ゴムで形成された板ゴム、即ち板状弾性体であってもよい。本実施形態では、入口３を区画している基部１の前右部１１の対向端面３１と、基部１の前左部１２の対向端面３２との間の空隙を塞ぐように板状弾性体４が設けられている。より詳細には、基部１の厚み方向と板状弾性体４の厚み方向とが一致するように、板状弾性体４は対向端面３１及び対向端面３２間に延びて配置されている。板状弾性体４の右側は、基部１の前右部１１内に上下方向から挟まれるように組み込まれ、板状弾性体４の左側は、基部１の前左部１２内に上下方向から挟まれるように組み込まれている。
【００１５】
なお、本願の図面においては、理解を助けるため、弾性部材（板状弾性体）４を薄墨で着色して表わしている。
また、板状弾性体４の右側は、基部１の前右部１１の上面又は下面に接合され、板状弾性体４の左側は基部１の前左部１２の上面又は下面に接合された構成であってもよい。
そして、板状弾性体４における対向端面３１と対向端面３２間に水平に延びる部位、即ち入口３を塞いでいる弾性体４の左右方向の中央位置に、弾性体４を左右に分割する切割線４１が形成されている。
【００１６】
切割線４１は、本実施形態では、平面視において、左右方向（横方向）に延びる板状弾性体４の左右方向中央部を、前後方向（弾性体４の幅方向）にジグザグに延び、弾性体４を左右に分割している。
このため、マルチホルダー１０に対して、入口３の外側から上下方向に長手を有する被係止部材（図示せず）で弾性体４を押圧すると、切割線４１が開くように弾性体４が弾性変形をする。そして、被係止部材（図示せず）を保持孔２内に進入させることができる。被係止部材（図示せず）が保持孔２内に入った後は、弾性体４は弾性変形により切割線４１が閉じるように元に戻る。よって、保持孔２の入口３は弾性体４により塞がれる。
【００１７】
本実施形態では、板状弾性体４に形成した切割線４１は、前後方向にジグザグに延びるようにしたので、弾性体４による入口３の閉鎖性が良い。なお、弾性体４に形成する切割線４１は、ジグザグに限定されるものではなく、例えばＳ字状に湾曲した切割線でもよいし、クランク形状に伸びる切割線でもよい。また、真直ぐにいわゆるスリット状に伸びる切割線であってもよい。
【００１８】
マルチホルダー１０の背側面１ｄは、マルチホルダー１０を取付位置に固定するための固定面となっている。当該固定面（背側面１ｄ）は、フラットな平面とされ、壁面、桟の側面、床面、天井面等の種々の取付平面に対して密着可能にされている。固定面である背側面１ｄには、例えば、強力な両面テープが貼着され、取付平面に取り付けられるようにしてもよいし、接着剤により、取付平面に取り付けられてもよい。
【００１９】
また、マルチホルダー１０の背側面１ｄの左右両側には、１点鎖線で示すような張り出し固定部１３が設けられていてもよい。
張り出し固定部１３は、その背面が背側面１ｄと面一になっているのが望ましい。張り出し固定部１３には、ねじ孔１４が備えられている。マルチホルダー１０を取付平面に取り付ける際は、背側面１ｄを取付平面にセットし、張り出し固定部１３のねじ孔１４に、例えば木ねじをねじ込むことにより行ってもよい。
【００２０】
本実施形態では、張り出し固定部１３は、マルチホルダー１０の背側面１ｄの左右両側へ張り出したものを例示したが、これに限らない。張り出し固定部は、背側面１ｄから上下方向へ張り出した固定部であってもよい。
図５に、マルチホルダー１０により種々のものが受け止められている様子を図解的に示す。（Ａ）は、お玉の柄を受け止めて保持した状態。（Ｂ）は、傘の把手を受け止めて保持した状態。（Ｃ）はステッキを受け止めて保持した状態。（Ｄ）はスティック型掃除機を受け止めて保持した状態である。
【００２１】
図６は、本考案の第２の実施形態に係るマルチホルダー２０の斜視図であり、図７はマルチホルダー２０の平面図、図８はマルチホルダー２０の正面図、図９はマルチホルダー２０の右側面図である。
図６〜９を参照して、マルチホルダー２０は、板状の基部１と、基部１に形成された保持孔２と、基部１の外側から保持孔２へ通じる入口３と、入口３を塞ぐ板状弾性体４とを含んでいる。マルチホルダー２０の上記構成要件１、２、３及び４は、基本的には第１の実施形態の構成要件１、２、３及び４と同様であり、同一部分には同一の参照符号を付して、重複した説明は省略する。
【００２２】
マルチホルダー２０の特徴は、基部１の前側面１ａに形成された入口３を塞ぐ板状弾性体４が、基部１の前側面１ａから前方へ突出するように設けられていることである。このような構成にすることにより、保持孔２の直径を大きくしても、基部１の前後方向の寸法を大きくせずに済む。また、入口３を塞ぐ板状弾性体４の背側面４２を、平面視で直線状にする代わりに、図６及び図７に１点鎖線で示すように、保持孔２の内円弧につながる円弧状４３に形成してもよい。
【００２３】
図１０は、本考案の第３の実施形態に係るマルチホルダー３０の斜視図であり、図１１はマルチホルダー３０の平面図、図１２はマルチホルダー３０の正面図である。
図１０〜１２を参照して、マルチホルダー３０は、板状の基部１と、基部１に形成された保持孔２と、基部１の外側から保持孔２へ通じる入口３と、入口３を塞ぐ弾性部材（板状弾性体）４とを含んでいる。マルチホルダー３０の上記構成要件１、２、３及び４は、基本的には第１の実施形態の構成要件１、２、３及び４と同様であり、同一部分には同一の参照符号を付して、重複した説明は省略する。
【００２４】
マルチホルダー３０の特徴は、基部１の厚み方向と板状弾性体４の幅方向とが一致するように、板状弾性体４が基部１の前側面部分に組み込まれていることである。より具体的には、基部１には、その外側、例えば前側面１ａから切り欠かれて保持孔２に連通する入口３が形成されている。そして、入口３を区画している基部１の前右部１１の対向端面３１と、基部１の前左部１２の対向端面３２との間の空隙を塞ぐように板状弾性体４が設けられている。板状弾性体４は、その幅方向が基部１の厚み方向と一致するように、対向端面３１及び対向端面３２間に配置されている。板状弾性体４の右側は、基部１の前右部１１内に形成された平面視がコ字状の凹部に嵌め込まれて固定されている。同様に、板状弾性体４の左側は、基部１の前左部１２内に形成された平面視がコ字状の凹部に嵌め込まれて固定されている。
【００２５】
そして、板状弾性体４における対向端面３１と対向端面３２間に垂直に延びる部位、即ち入口を塞いでいる弾性体４の左右方向の中央位置に、板状弾性体４を左右に分割する切割線４１が形成されている。幅方向が垂直になるように組み込まれた板状弾性体４に対し、切割線４１は、縦方向にジグザグに延びる線とされている。
なお、本実施形態では、基部１の厚みと、板状弾性体４の幅とが等しいものを例示したが、両者は必ずしも等しい寸法でなくてもよい。例えば、基部１の厚み≧板状弾性体４の幅、であってもよいし、逆に、基部１の厚み≦板状弾性体４の幅、であってもよい。
【００２６】
図１３は、本考案の第４の実施形態に係るマルチホルダー４０の斜視図であり、図１４はマルチホルダー４０の平面図、図１５はマルチホルダー４０の正面図である。
図１３〜１５を参照して、マルチホルダー４０は、板状の基部１と、基部１に形成された保持孔２と、基部１の外側から保持孔２へ通じる入口３と、入口３を塞ぐ弾性部材（板状弾性体）４とを含んでいる。マルチホルダー４０の上記構成要件１、２、３及び４は、基本的には第３の実施形態の構成要件１、２、３及び４と同様であり、同一部分には同一の参照符号を付して、重複した説明は省略する。
【００２７】
マルチホルダー４０が、マルチホルダー３０と異なる点は、基部１に形成された保持孔２が、平面視において、基部１の前側面１ａから逆Ｕ字状に凹まされた孔にされていることである。すなわち、保持孔２と入口３とが一体に形成されている。そして、基部１の前右部１１及び前左部１２の各前側面１ａには、板状弾性体４が固定されている。板状弾性体４は、その幅方向が基部１の厚み方向に一致され、基部１の前側面１ａに開いた入口を塞いでいる。そして、板状弾性体４の左右方向の中央位置には、上下にジグザグに延びる切割線４１が形成されている。
【００２８】
図１６は、本考案の第５の実施形態に係るマルチホルダー５０の斜視図である。図１６に示すマルチホルダー５０は、図１〜４を参照して説明したマルチホルダー１０が、横方向に２つ連結された構成である。図１６に示すマルチホルダー５０において、図１〜４に示すマルチホルダー１０と同等の構成要件には同一の参照符号が付されている。
本考案に係るマルチホルダーは、図１６に示す第５の実施形態に係るマルチホルダー５０のように、基本的な構成を有するマルチホルダーを、横方向に２つ又は３つと、複数個つないだ横列構成のものであってもよい。
【００２９】
本考案は、以上説明した実施形態に限定されるものではなく、請求項記載の範囲内において種々の変更が可能である。
【符号の説明】
【００３０】
１    基部
１ａ    前側面
１ｂ    右側面
１ｃ    左側面
１ｄ    背側面
２    保持孔
３    入口
４    弾性部材
１０、２０、３０、４０、５０    マルチホルダー
１１    前右部
１２    前左部
１３    張り出し固定部
１４    ねじ孔
３１、３２    対向端面
４１    切割線
４２    背側面
４３    円弧状
【図１】
0003232181.tif 000003
【図２】
0003232181.tif 000004
【図３】
0003232181.tif 000005
【図４】
0003232181.tif 000006
【図５】
0003232181.tif 000007
【図６】
0003232181.tif 000008
【図７】
0003232181.tif 000009
【図８】
0003232181.tif 000010
【図９】
0003232181.tif 000011
【図１０】
0003232181.tif 000012
【図１１】
0003232181.tif 000013
【図１２】
0003232181.tif 000014
【図１３】
0003232181.tif 000015
【図１４】
0003232181.tif 000016
【図１５】
0003232181.tif 000017
【図１６】
0003232181.tif 000018